(57)【要約】【課題】カメラのホワイトバランスフィルターレンズキャップの提供。【解決手段】ホワイトバランスフィルターレンズキャップは、レンズキャップ本体１１を備え、レンズキャップ本体１１は固定メカニズムを備え、或いは弾性粘着辺部分を接続或いは適切に備えカメラレンズハウジングを覆い、レンズキャップ本体１１は中央固定メカニズム周囲に別に環状区１９を備え、環状区１９はレンズの前に位置し、レンズの一部を覆い、環状区１９は中央カットオフ区の範囲を限定し、レンズキャップ本体１１の中央カットオフ区には半透明のホワイトバランスフィルター１２を接着し、レンズを保護し、ホワイトバランスの機能を提供し、半透明のホワイトバランスフィルター１２は交換し使用可能な装置で、使用者に様々な選択を提供し、これにより中間色、冷色、或いは暖色系のバランス効果を達成することができる。【選択図】図１
0003147871.tif 000002
【実用新案登録請求の範囲】
【請求項１】
レンズキャップ、半透明のホワイトバランスフィルターを備え、
前記レンズキャップは、カメラレンズハウジングを接続可能な固定作用を備え、前記レンズハウジングの環状区に設置し、レンズの一部を覆い、
前記半透明のホワイトバランスフィルターは、前記レンズキャップの中央カットオフ区に適切に対応し、前記中央カットオフ部分は環状区によりその範囲を限定されることを特徴とするカメラのホワイトバランスフィルターレンズキャップ。
【請求項２】
前記半透明のホワイトバランスフィルターは、レンズキャップ本体において、手により取り外し、装着が可能であることを特徴とする請求項１に記載のカメラのホワイトバランスフィルターレンズキャップ。
【請求項３】
前記レンズキャップの固定機能は、前記レンズキャップ本体の環状区の少なくとも一部分に設置可能であることを特徴とする請求項１に記載のカメラのホワイトバランスフィルターレンズキャップ。
【請求項４】
前記レンズキャップの固定機能は、変形可能部分を結合した圧力ロックを備え、これによりレンズハウジングと連接することを特徴とする請求項１に記載のカメラのホワイトバランスフィルターレンズキャップ。
【請求項５】
前記レンズキャップの固定機能は、圧合作用を備え、これによりレンズの内部ネジヤマを通して固定することを特徴とする請求項４に記載のカメラのホワイトバランスフィルターレンズキャップ。
【請求項６】
前記レンズキャップの固定機能は、中央解除装置を備えることを特徴とする請求項４に記載のカメラのホワイトバランスフィルターレンズキャップ。
【請求項７】
前記半透明のホワイトバランスフィルターは、連接機能を備え、半透明装置の外縁に位置し、これとレンズキャップ本体の環状区内縁とは結合することを特徴とする請求項１に記載のカメラのホワイトバランスフィルターレンズキャップ。
【請求項８】
前記半透明のホワイトバランスフィルターは、外縁の一部にネジヤマを備え、前記レンズキャップ本体環状区の内縁ネジヤマと相互に接続して固定することを特徴とする請求項１に記載のカメラのホワイトバランスフィルターレンズキャップ。
【請求項９】
前記レンズキャップ本体の外縁は平滑状を呈し、これにより予想外の脱落の可能性を低減可能であることを特徴とする請求項１に記載のカメラのホワイトバランスフィルターレンズキャップ。
【請求項１０】
前記半透明のホワイトバランスフィルターは、外縁上にボールベアリングを備え、前記ボールベアリングは、前記レンズキャップ本体環状区内縁が対応する凹槽中に入り、これによりホワイトバランスフィルターは固定されることを特徴とする請求項１に記載のカメラのホワイトバランスフィルターレンズキャップ。
【請求項１１】
前記半透明のホワイトバランスフィルターは、様々な大きさの設計が可能で、これにより異なるカメラとレンズに対応が可能であることを特徴とする請求項１に記載のカメラのホワイトバランスフィルターレンズキャップ。
【請求項１２】
前記半透明のホワイトバランスフィルターは、交換して使用可能な多種の装置で、使用者に様々な選択を提供することができ、これにより中間色、冷色、暖色系のバランス効果を達成可能であることを特徴とする請求項１に記載のカメラのホワイトバランスフィルターレンズキャップ。
【請求項１３】
前記カメラのレンズキャップ本体は、固定リングを備え、これにより取り外し可能な前記半透明のホワイトバランスフィルターを固定することを特徴とする請求項１に記載のカメラのホワイトバランスフィルターレンズキャップ。
【請求項１４】
カメラのホワイトバランスフィルターレンズキャップは、レンズキャップ本体、半透明のホワイトバランスフィルターを備え、
前記レンズキャップ本体は、外縁に弾性粘着辺部分を接続、或いは適切に備え、さらに環状区を備え、前記環状区はレンズの前に位置し、レンズの一部を覆い、
前記半透明のホワイトバランスフィルターは、レンズキャップ本体の中央カットオフ部分と密着接合し、前記中央カットオフ区は環状区によりその範囲を限定されることを特徴とするカメラのホワイトバランスフィルターレンズキャップ。
【請求項１５】
前記半透明のホワイトバランスフィルターは、レンズキャップ本体において、手により取り外し、装着可能であることを特徴とする請求項１４に記載のカメラのホワイトバランスフィルターレンズキャップ。
【請求項１６】
前記半透明のホワイトバランスフィルターは、外縁の一部にネジヤマを備え、前記レンズキャップ本体環状区の内縁ネジヤマと相互に接続して固定することを特徴とする請求項１４に記載のカメラのホワイトバランスフィルターレンズキャップ。
【請求項１７】
前記半透明のホワイトバランスフィルターの正面は、ドーム状の表面を備えることを特徴とする請求項１６に記載のカメラのホワイトバランスフィルターレンズキャップ。
【請求項１８】
前記半透明のホワイトバランスフィルターは、接合構造を備え、前記接合構造は半透明のホワイトバランスフィルター外縁の上に位置し、レンズキャップ本体の環状区と連接することを特徴とする請求項１４に記載のカメラのホワイトバランスフィルターレンズキャップ。
【請求項１９】
前記半透明のホワイトバランスフィルターは、交換して使用可能な多種の装置で、使用者に様々な選択を提供することができ、これにより中間色、冷色、暖色系のバランス効果を達成可能であることを特徴とする請求項１４に記載のカメラのホワイトバランスフィルターレンズキャップ。
【請求項２０】
前記レンズキャップ本体はさらに、前記レンズキャップ本体のカットオフ区に固定する半透明のホワイトバランスフィルターを備え、前記半透明のホワイトバランスフィルターは半透明体の後ろに位置することを特徴とする請求項１４に記載のカメラのホワイトバランスフィルターレンズキャップ。
【考案の詳細な説明】
【技術分野】
【０００１】
本考案はカメラキャップに関し、特にカメラレンズのプロテクター機能を備え、ホワイトバランスフィルター機能をも備えるカメラのホワイトバランスフィルターレンズキャップに関する。
【背景技術】
【０００２】
ホワイトバランスとは、撮影された被写体が反射する色温度を捕捉し、捕捉した色温度に基づき、カメラの設定を調整することをいう。カメラの設定を調整することで、最終的な画像の色彩は、実物に近づくようになる。ほとんどのデジカメはオートホワイトバランス機能を備える。しかし、該オートホワイトバランスは、被写体に当たる光線の正確な状態、光量、方向を確実に判断できないこともある。
【０００３】
上記した問題を解決する方式として、自身でホワイトバランス設定を固定するものがあり、一般的には、シーン露光を１８％のグレーに設定する。これは、ある中間色シーンの参考写真（例えば、プリントされて売られているカードの露光は１８％のグレーである）、或いはある中間色色調のシーン（例えば、歩道等）の捕捉を通して達成され、該参考写真をカメラ内に保存し、ホワイトバランスのパーソナル設定標準とすれば良い。該参考写真の撮影時には、ホワイトバランスフィルターレンズを使用するが、伝統的なホワイトバランスフィルターレンズの設計は、一般的には取り外しの利便性を重視し、カメラへの安定的な固定性とカメラレンズ保護の機能は軽視されている。そのため、伝統的なホワイトバランスフィルターレンズは、カメラのレンズにしっかりと装着することができず、緩み、脱落する状況が起き易い。例えば、ある伝統的なホワイトバランスフィルターレンズ（カリフォルニア州ExpoImaging社の製品ExpoDisk等）は、ボールベアリングとレンズケースの内リングを使用し接続する。ExpoDiskは、ボールベアリングの設計により、装着、取り外しが便利である。しかし、レンズケースとフィルターレンズを接続する標準内リングは、ダイヤル（或いはネジヤマ）構造であるため、ネジヤマに本質的に存在する歪斜特質により、ボールベアリング固定装置は、内リングとの正確な対応を持続することができない。
【０００４】
すなわち、伝統的なホワイトバランスフィルターレンズは、通常は効果的なレンズ保護装置とはなり得ない。よって、カメラバッグ内でのあらゆる軽微な接触により、フィルターレンズはレンズから脱落する可能性があり、レンズの前面部分、レンズ本体、或いはカメラそのものが毀損する可能性さえある。そのため、撮影者は通常は、別にホワイトバランスフィルターレンズ等の機能性装置を随時携帯し、参考写真を撮影する前にカメラのレンズキャップを取り外し、次にホワイトバランスフィルターレンズ等の機能性装置を装着する必要がある。本考案は、従来のホワイトバランスフィルターレンズの上記した欠点に鑑みてなされたものである。
【考案の開示】
【考案が解決しようとする課題】
【０００５】
本考案が解決しようとする主要な課題は、カメラレンズのプロテクター機能を備え、ホワイトバランスフィルター機能をも備えるカメラのホワイトバランスフィルターレンズキャップを提供することである。
【課題を解決するための手段】
【０００６】
上記課題を解決するため、本考案は下記のカメラのホワイトバランスフィルターレンズキャップを提供する。
カメラのホワイトバランスフィルターレンズキャップは、半透明装置で、個々人のホワイトバランス設定と固定の機能を共に達成可能で、レンズ付属部品をカメラのレンズハウジング上にしっかりと固定可能である。
該半透明装置（半透明部分、或いは半透明のホワイトバランスフィルターとも呼称可）は、有色半透明色調（１８％グレー等）を呈し、使用者にカメラ内ホワイトバランスの個人設定を提供することができる。
該半透明装置は、十分に大きく、入射光線を十分に受け入れることができるが、同時にレンズキャップ上は固定作用のための十分な空間を残し、レンズキャップを安定的にカメラに固定させることができ、これにより該レンズキャップは伝統的なレンズ保護キャップに取って代わることができる。
本考案のレンズキャップ付属部品は、カメラレンズハウジング上に簡単に装着可能で、取り外しも容易で、同時に、ホワイトバランスフィルターとカメラレンズの保護機能を効果的に発揮することができる。
本考案のレンズキャップ付属部品は二重の特徴を備えるため、該レンズキャップ本体においてホワイトバランスフィルターの周囲に環状区を延伸し、該付属部品の固定機能を通して、少なくとも一部分は環状区上に安定的に固定され、安定的な固定機能は簡単に固定と取り外しが可能である。
該ホワイトバランスフィルター内のレンズは、固定機能に置換するに足るまで縮小することができるが、個人設定のホワイトバランス機能の正確性に影響を及ぼすことはない。
【考案の効果】
【０００７】
使用者はホワイトバランスフィルターをレンズキャップから手で取り外し、他のフィルターに交換することができ、これら交換可能なフィルターは、面積は相同であるが、色調、光透過程度、材質等が異なる。ホワイトバランスフィルター付きレンズキャップは、固定機能を通して、レンズキャップ本体の正確な位置に固定され、取り外しと装着が便利である。
【考案を実施するための最良の形態】
【０００８】
以下に図面を参照しながら本考案を実施するための最良の形態について詳細に説明する。図１、４は、本考案一実施形態によるカメラのホワイトバランスフィルターレンズキャップのレンズキャップ１０正面を示す。図に示すように、レンズキャップ１０はレンズキャップ本体１１、半透明のホワイトバランスフィルター１２を備える。レンズキャップ本体１１は適切な表面にカットオフし、カメラに内蔵する点側光判読計が覆う区域と密着接合する。カットオフ表面は環状区１９により範囲を限定される。環状区１９は、カメラレンズの前に位置し、レンズの一部を覆う。環状区１９は完全に不透明である。
【０００９】
レンズキャップ本体１１は、固定或いは密着のメカニズムを備え、これによりレンズキャップ本体１１はカメラレンズハウジング（図示なし）と密着接合する。固定或いは密着のメカニズムは、圧力固定作用（側辺緊密接合或いは中央解除方式等）、弾性粘着辺、ネジヤマ方式、及び他の固定方式が可能で、カメラレンズの種類及び使用するレンズの付属部品に応じて、適した固定方式を決定する。例えば、遮光カバーをカメラレンズの前に設置するなら、図１及び図４に示す内圧合部１４を備える中央解除方式が適している。なぜなら、遮光カバーの配置位置のために、使用者はレンズキャップを、簡単には側面から安全に装着、取り付けできない（側辺圧合、或いはネジヤマ等）ためである。この問題の原因は、レンズの遮光カバーとレンズキャップ辺縁間の空間が小さ過ぎ、簡単かつ安定的に固定を解除することができない点にあるが、内圧合部１４を備える中央解除方式により、カメラレンズが遮光カバーを使用することによって起きる問題を解決することができる。中央解除方式は同時に、使用者がカメラを身に付け、或いはカメラバッグ中に入れている時に、レンズキャップが外れてしまうという問題をも排除することができる。
【００１０】
弾性粘着辺方式は、広角レンズ等の非ネジヤマ方式のフィルターレンズに適している。なぜなら、広角レンズには、圧力を加え固定する、或いはネジヤマで固定する前ネジヤマ或いは前リングを備えないものがあるからである。この場合には、カメラのレンズハウジングの辺縁との固定には弾性粘着辺方式を使用すれば、レンズハウジングの外周を簡単に覆うことができる。弾性粘着辺の設計時には、カメラレンズキャップの内径は、広角遮光レンズの内径より大きくすることができる。例えば、内径が８２ｍｍのフィルター広角レンズは、内径が８５ｍｍのレンズキャップを使用することができる。弾性粘着辺はポリカーボネート或いは他の適した材質により製造し、十分な弾性と伸張性を備え、密閉接合可能とする。
【００１１】
図１、図４に示すように、本考案一実施形態によるカメラのホワイトバランスフィルターレンズキャップのレンズキャップ本体１１は、圧力固定機能を備え、中央固定解除の装置とすることができる。図１、図４において、二枚の固定片１３は対面状態で、レンズキャップ本体１１の両側に位置する。固定片１３は内圧合部１４を備える。内圧合部１４は外へ向かい、使用者は手で内圧合部１４をレンズキャップ本体１１の中央へと押す。レンズキャップ１０がカメラの前方に位置する時、内圧合部１４は圧力固定機能を備え、カメラレンズハウジング内縁を固定することができる内圧合部１４は固定片１３と相互に作用する突起輪郭を備え、使用者は内圧合部１４を押し、レンズキャップ１０への作用を起動或いは取り消すことができる。
【００１２】
但し、図１、図４は本考案の一実施形態を示すに過ぎず、本考案はさらに多くの様々な実施形態が可能である。例えば、カメラレンズキャップ１０は、単一側辺の圧合機能とすることができ、これによっても中央解除作用を発揮することができる。側辺圧合と中央解除の設計は、図１、図４に示す形態、或いは異なる形態である。例えば、中央の内圧合部１４は突出しない形態とし、カメラレンズキャップ１０の辺縁と対応する。この時、側辺の内圧合部１４は圧力固定機能を執行せず、後方はつまみ部分を備える固定片１３によりカメラレンズハウジング内縁に密着接合する。上記したように、本考案一実施形態によるカメラのホワイトバランスフィルターレンズキャップは、様々な種類の側辺と内部圧合設計を提供することができる。
【００１３】
さらに図１、図４に示すように、レンズキャップ本体１１の中央は、カットオフ部分であり、その上には半透明のホワイトバランスフィルター１２を有する。ホワイトバランスフィルター１２は半透明部分を備え、半透明部分の透明度及び色調（例えば、１８％グレー等）は予め設定する。半透明ホワイトバランスフィルター１２により、個々人のホワイトバランス設定とすることができ、使用者は様々な半透明ホワイトバランスフィルター１２を交換し使用することで、中間色、冷色、暖色系のホワイトバランス効果を達成することができる。本考案一実施形態によるカメラのホワイトバランスフィルターレンズキャップの別の実施形態では、半透明ホワイトバランスフィルター１２をレンズキャップ本体１１に固定して粘着接合させ、レンズキャップ１０と分割できないようにする。
【００１４】
図２は、本考案の一実施形態によるカメラのホワイトバランスフィルターレンズキャップにおいて、図１、図４に示すレンズキャップの背面を示す概略図である。固定片１３が放射状に内部へと押されると、使用者はレンズ上にレンズキャップ１０を装着し、或いは取り外すことができる。固定片１３はステンレス或いはプラスチックにより製造する変形バネ（図示なし）により、緩んでも直ちに元の形状を回復することができる。図２はさらに、強化周囲縁２０（強化プラスチック等により製造する）を示している。強化周囲縁２０は、一部をレンズキャップ本体１１の背面部表面まで伸展させ、中央カットオフ区に進入させることもできる。固定リング２１が確実に作用することで、強化周囲縁２０は、半透明ホワイトバランスフィルター１２がレンズキャップ１０の背面から脱落することを防止可能である。
【００１５】
図３、図５は、本考案の一実施形態によるカメラのホワイトバランスフィルターレンズキャップにおいて、レンズキャップを示す側面概略図及び立体図である。図に示すように、内圧合部１４上には横方向凹槽１５を形成する。これにより、レンズキャップ本体１１の信頼性は高くなり、固定片１３が緩むことを防止することができる。
【００１６】
写真撮影に相当な経験を有する使用者であれば、図示から、本考案が提供する各種の実施方式を理解することができる。図３、図５では掲示してはいないが、レンズキャップ本体１１内縁には、回転式のホワイトバランスレンズキャップのネジヤマ、ボールベアリング式のホワイトバランスレンズキャップの凹槽、磁性ホワイトバランスレンズキャップの磁石、或いは粘着接合式の半透明ホワイトバランスフィルター１２を備えることができる。よって、使用者が選択する半透明ホワイトバランスフィルター１２は、回転式のホワイトバランスレンズキャップのネジヤマ、ボールベアリング式のホワイトバランスレンズキャップの凹槽、磁性ホワイトバランスレンズキャップの磁石、或いは粘着接合式により、レンズキャップ本体１１に固定される。
【図面の簡単な説明】
【００１７】
【図１】本考案の一実施形態によるカメラのホワイトバランスフィルターレンズキャップにおいて、レンズキャップを示す正面概略図である。
【図２】本考案の一実施形態によるカメラのホワイトバランスフィルターレンズキャップにおいて、レンズキャップを示す背面概略図である。
【図３】本考案の一実施形態によるカメラのホワイトバランスフィルターレンズキャップにおいて、レンズキャップを示す側面概略図である。
【図４】本考案の一実施形態によるカメラのホワイトバランスフィルターレンズキャップにおいて、レンズキャップを示す別の正面概略図である。
【図５】本考案の一実施形態によるカメラのホワイトバランスフィルターレンズキャップにおいて、レンズキャップを示す立体概略図である。
【符号の説明】
【００１８】
１０  レンズキャップ
１１  レンズキャップ本体
１２  ホワイトバランスフィルター
１３  固定片
１４  内圧合部
１５  横方向凹槽
１９  環状区
２０  周囲縁
２１  固定リング
【図１】
0003147871.tif 000003
【図２】
0003147871.tif 000004
【図３】
0003147871.tif 000005
【図４】
0003147871.tif 000006
【図５】
0003147871.tif 000007